(57)【要約】      （修正有）【課題】容器の載置位置を規定するガイド部材の位置決め作業を容易とする位置決め治具を提供する。【解決手段】載置部１１に載置された容器の口部に被せた金属製のキャップ構成体をプレッシャーブロック１７によって下方に押圧しながら、キャップ構成体の周面をローラ１８，１９で絞ることにより、キャップ構成体の周面に口部に設けられたねじ山に合致するねじ溝を形成し、口部にキャップを装着するキャッパ１０に備えられ、容器の胴部に当接することにより載置部１１における容器の載置位置を規定するガイド部材１４，１４の位置決め治具であって、口部に相当する口相当部２１と、胴部に相当する胴相当部２２とを有し、口相当部２１は胴相当部２２からの突出高さが可変に構成されている。【選択図】図２
0003210129.tif 000002
【実用新案登録請求の範囲】
【請求項１】
載置部に載置された容器の口部に被せた金属製のキャップ構成体をプレッシャーブロックによって下方に押圧しながら、前記キャップ構成体の周面をローラで絞ることにより、前記キャップ構成体の周面に前記口部に設けられたねじ山に合致するねじ溝を形成し、前記口部にキャップを装着するキャッパに備えられ、前記容器の胴部に当接することにより前記載置部における前記容器の載置位置を規定するガイド部材の位置決め治具であって、
前記口部に相当する口相当部と、前記胴部に相当する胴相当部とを有し、前記口相当部は前記胴相当部からの突出高さが可変に構成されている位置決め治具。
【請求項２】
前記胴相当部の天面中央に備えられた開口部の内面に雌ねじが形成され、前記口相当部の周囲に前記雌ねじに螺合する雄ねじが形成されている請求項１に記載の位置決め治具。
【請求項３】
前記胴相当部の底面に、前記載置部に備えられた被係合部と係合可能な係合部が備えられている請求項１又は２に記載の位置決め治具。
【考案の詳細な説明】
【技術分野】
【０００１】
本考案は、載置部に載置された容器の口部に被せた金属製のキャップ構成体をプレッシャーブロックによって下方に押圧しながら、前記キャップ構成体の周面をローラで絞ることにより、前記キャップ構成体の周面に前記口部に設けられたねじ山に合致するねじ溝を形成し、前記口部にキャップを装着するキャッパに備えられ、前記容器の胴部に当接することにより前記載置部における前記容器の載置位置を規定するガイド部材の位置決め治具に関する。
【背景技術】
【０００２】
ボトル入り飲料に使用されるボトル（容器の一例）は、金属、樹脂、ビン等の材料から構成され、口部の外周にねじ山を有し、そのねじ山に合致するねじ溝を有するキャップにより密封されている。
【０００３】
キャップは、キャップ本体と、前記キャップ本体とスリットにより円周方向に隔てられた複数のブリッジを介して接続された裾部とを有する構造になっていて、キャップの開封時にキャップ胴相当部にかける力によってブリッジが破断されるようになっている。
【０００４】
このようなキャップには、金属製のものと樹脂製のものがある。そのうち、金属製のキャップをボトルの口部に取り付けるキャッパは、特許文献１に開示されるように、ボトルの載置部と、ボトルの載置部に対し昇降可能に設置されたヘッダ部とを備えている。
【０００５】
ヘッダ部は、ボトルの口部に被せられ、周面にまだねじ溝が形成されていないキャップ構成体を上から押さえるプレッシャーブロックと、プレッシャーブロックの周囲に配置されたスレッドローラや、スカートローラを備えている。
【０００６】
プレッシャーブロックは、キャップ構成体を天板近傍を嵌合可能な円筒部と、円筒部の内部において天板を上側から押す内側部分とを有している。
【０００７】
プレッシャーブロックと載置部とに挟持されたボトルの回転に同期して、スレッドローラ及びスカートローラは自転しながら、ボトルの口部に被せられたキャップ構成体の周面を絞り、ボトルの口部に設けられたねじ山に合致するねじ溝を形成する。
【０００８】
ところで、キャッパがキャップを形成するときに、ヘッダに対するボトルの載置位置がずれていると、芯ぶれして内容物がこぼれたり、キャップ構成体に対して径方向に加わる力が不均一なものとなり、キャップ構成体に成形されるネジ溝が歪になったり、ブリッジ切れが発生する等の問題が発生する。
【０００９】
このような問題を解消するため、ボトルの載置部には、ボトルの設置位置を規定するガイド部材が備えられている。
【００１０】
このガイド部材は、キャッピングを行う前に位置決め治具を用いて位置決めが行われている。位置決め治具は、ボトルの胴部を模した胴相当部と、ボトルの口部を模した口相当部とを一体的に備えている。
【００１１】
図５に示すように、位置決め治具２０を用いてガイド部材１４を位置決めするには、まず、ヘッダ部１２を上げ、ガイド部材１４のキャッパ本体１３に対する固定が緩められた状態で、位置決め治具２０を載置し、位置決め治具２０の口相当部２１がプレッシャーブロック１７の中心に収まるように注意しながらヘッダ部１２を下げることによって位置決め治具２０自体の設置をする。
【００１２】
その後、ガイド部材１４が位置決め治具２０の胴相当部２２にちょうど接触するように前後左右にずらし、ボルト１５ａ及びナット１５ｂを締め付けて、ガイド部材１４を固定する。これにより、ボトルを載置したときの位置が正しいものとなり、正常なキャッピングが可能となる。
【先行技術文献】
【特許文献】
【００１３】
【特許文献１】特開２００５‐２１２９０４号公報
【考案の概要】
【考案が解決しようとする課題】
【００１４】
しかし、従来の位置決め治具を用いたガイド部材の位置決め作業は、ヘッドの昇降動作が必要であるため時間を要していた。
【課題を解決するための手段】
【００１５】
本考案は上記実情に鑑みてなされたものであって容器の載置位置を規定するガイド部材の位置決め作業を容易とする位置決め治具を提供することを目的とする。
【００１６】
上述の目的を達成するための、本考案に係る位置決め治具の特徴構成は、載置部に載置された容器の口部に被せた金属製のキャップ構成体をプレッシャーブロックによって下方に押圧しながら、前記キャップ構成体の周面をローラで絞ることにより、前記キャップ構成体の周面に前記口部に設けられたねじ山に合致するねじ溝を形成し、前記口部にキャップを装着するキャッパに備えられ、前記容器の胴部に当接することにより前記載置部における前記容器の載置位置を規定するガイド部材の位置決め治具であって、前記口部に相当する口相当部と、前記胴部に相当する胴相当部とを有し、前記口相当部は前記胴相当部からの突出高さが可変に構成されている点にある。
【００１７】
上述の構成によると、ガイド部材の位置決めの際に、位置決め治具の口相当部の胴相当部からの突出高さを変更するという簡単な作業によって、位置決め治具を所定位置に設置することができる。すなわち、プレッシャーブロックやローラ等から構成されるヘッドを昇降させる必要がないため、すばやい作業が可能となる。
【００１８】
本考案においては、前記胴相当部の天面中央に備えられた開口部の内面に雌ねじが形成され、前記口相当部の周囲に前記雌ねじに螺合する雄ねじが形成されていると好適である。
【００１９】
上述の構成によると、口相当部を胴相当部に対して回すだけで簡単に突出高さを変更することができる。
【００２０】
本考案においては、前記胴相当部の底面に、前記載置部に備えられた被係合部と係合可能な係合部が備えられていると好適である。
【００２１】
上述の構成によると、位置決め治具を載置部に係合させることができるので、位置決め治具を確実に所定位置に設置することができる。
【図面の簡単な説明】
【００２２】
【図１】本考案に係る位置決め治具とキャッパの説明図
【図２】本考案に係る位置決め治具を用いたガイド部材の位置決めの様子の説明図
【図３】本考案に係る位置決め治具を用いたガイド部材の位置決めの様子の説明図
【図４】本考案に係る位置決め治具を用いたガイド部材の位置決めの様子の説明図
【図５】従来の位置決め治具を用いたガイド部材の位置決めの様子の説明図
【考案を実施するための形態】
【００２３】
以下に本考案の位置決め治具の実施形態について図面を参照しながら説明をする。本考案に係る位置決め治具について説明するのに先だって、該位置決め治具が使用されるキャッパ及び該キャッパによってキャッピングされる容器について説明する。
【００２４】
本実施形態において、容器はボトルである。ボトルは、ねじ山を備えた口部と、前記口部に連なるフランジ部と、前記フランジ部に連なる首部と、前記首部に連なる肩部と、前記肩部に連なる胴部とを有している。
【００２５】
キャッパ１０は、このボトルの口部に金属製のキャップを装着する装置であり、図１及び図２に示されるように、ボトルの載置部１１と、載置部１１に対し昇降可能に設置されたヘッダ部１２とを備えている。載置部１１及びヘッダ部１２は、キャッパ本体１３の周方向に等間隔で１８対備えられている。
【００２６】
キャッパ１０は、上流から搬送されてくるボトルを載置部１１に受け入れ、キャッパ本体１３が回転するうちに、ヘッダ部１２がボトルにキャッピングをし、キャップが締められたボトルを下流へと搬送する。
【００２７】
載置部１１には、ボトルの設置位置を規定するガイド部材１４，１４が備えられている。ガイド部材１４，１４は、ボトルの胴部に対応する円弧状の切欠部が備えられた樹脂製の部材であり、図１から図４に示すように、ボルト１５ａ及びナット１５ｂによってキャッパ本体１３の長穴１６に固定されている。本実施形態においては、上側のガイド部材１４は、高さが可変に構成されており、胴部の直径が同じであるが高さが異なるボトルの位置決めが可能となっている。
【００２８】
ヘッダ部１２は、ボトルの口部に被せられ、周面にまだねじ溝が形成されていない金属製のキャップ構成体を上から押さえるプレッシャーブロック１７と、プレッシャーブロック１７の周囲に配置され、キャップ構成体の周面に絞り加工等を施すスレッドローラ１８やスカートローラ１９等を備えている。
【００２９】
プレッシャーブロック１７は、キャップ構成体を天板近傍を嵌合可能な円筒部１７ａと、円筒部１７ａの内部において天板を上側から押す押圧部１７ｂとを有している。
【００３０】
プレッシャーブロック１７と、載置部１１とに挟持されたボトルの回転に同期して、スレッドローラ１８及びスカートローラ１９は自転しながら、ボトルの口部に被せられたキャップ構成体の周面を絞り、ボトルの口部に設けられたねじ山に合致するねじ溝を形成する。
【００３１】
本考案に係る位置決め治具は、上述のように構成されたキャッパ１０に備えられたガイド部材１４，１４の位置決めをするために用いられる。
【００３２】
図１から図３に示すように、位置決め治具２０は、ボトルの口部を模した口相当部２１と、胴部を模した胴相当部２２とを有している。口相当部２１及び胴相当部２２は、ステンレス鋼などの金属を加工することによって形成されている。
【００３３】
胴相当部２２の直径は、キャッパ１０によってキャッピングされるボトルの胴部の直径と同じであり、胴相当部２２の高さは、ガイド部材１４を最も高い位置にしたときでも、該ガイド部材１４に当接可能な高さである。
【００３４】
胴相当部２２の天面中央に備えられた開口の内面に雌ねじ２２ａが形成されている。口相当部２１の周囲に雌ねじ２２ａに螺合する雄ねじ２１ａが形成されている。なお、雄ねじ２１ａは、口相当部２１の全長にわたって形成されていてもよいし、たとえば高さ方向の半分から下側のみに形成されていてもよい。
【００３５】
口相当部２１を胴相当部２２に対して回すことによって、口相当部２１の胴相当部２２からの突出高さが可変に構成されている。
【００３６】
口相当部２１の高さは、キャッパ１０によってキャッピング可能なボトルのうち、最も背が高いボトルを載置したときの、キャッピング時のプレッシャーブロック１７の位置に対応する高さ以上の高さまで進出可能に構成されている。
【００３７】
さらに、本実施形態においては、胴相当部２２の底面に、載置部１１に備えられた被係合部１１ａと係合可能な係合部２３が備えられている。被係合部１１ａは、載置部１１をキャッパ本体１３に備えられた回転機構に対して固定するねじのためのねじ穴である。
【００３８】
係合部２３は、胴相当部２２と一体成形される構成であってもよいし、胴相当部２２に着脱自在な構成であってもよい。係合部２３は、胴相当部２２の内部に内蔵された圧縮コイルスプリングの付勢力によって、胴相当部２２の底面から進退可能に構成されてもよい。なお、載置部１１に被係合部１１ａが備えられていないような場合には、位置決め治具２０は係合部２３を備えていなくてよい。
【００３９】
以上のように構成された位置決め治具２０を用いたガイド部材１４，１４の位置決めについて説明する。
【００４０】
図２に示すように、位置決め治具２０を用いてガイド部材１４、１４の位置決めをするにあたり、ヘッダ部１２が上げられ、ガイド部材１４，１４のキャッパ本体１３に対する固定が緩められる。
【００４１】
位置決め治具２０の口相当部２１は、胴相当部２２に対してねじ込まれ、高さがヘッダ部１２に接触しない程度の高さまで縮められた状態にされる。
【００４２】
位置決め治具２０を載置部１１に載置し、位置決め治具２０の口相当部２１がプレッシャーブロック１７の中心に収まるように注意しながら口相当部２１を伸ばし、図３に示すように、位置決め治具２０自体の設置が行われる。
【００４３】
その後、ガイド部材１４，１４が位置決め治具２０の胴相当部にちょうど接触するように前後左右にずらし、ボルト１５ａ及びナット１５ｂを締め付けて、ガイド部材１４，１４を固定する。これにより、ボトルを載置したときの位置が正しいものとなり、正常なキャッピングが可能となる。
【００４４】
上述した実施形態においては、容器が、胴部に対して口部の細い形状であるボトルである場合について説明したが、容器はボトルに限らない、容器は、ねじ山を備えた口部と、前記口部に連なる胴部とを有するジャーのような形状であってもよい。
【００４５】
上述した実施形態は、いずれも本考案の一例であり、当該記載により本考案が限定されるものではなく、各部の具体的構成は本考案の作用効果が奏される範囲において適宜変更設計可能である。
【符号の説明】
【００４６】
１０      ：キャッパ
１１      ：載置部
１１ａ    ：被係合部
１４      ：ガイド部材
１７      ：プレッシャーブロック
２０      ：位置決め治具
２１      ：口相当部
２１ａ    ：雄ねじ
２２      ：胴相当部
２２ａ    ：雌ねじ
２３      ：係合部
【図１】
0003210129.tif 000003
【図２】
0003210129.tif 000004
【図３】
0003210129.tif 000005
【図４】
0003210129.tif 000006
【図５】
0003210129.tif 000007